(57)【要約】【課題】塗料を一度他の容器に移して使用する場合においても缶上面部の溝を汚さず、缶の長期使用及び中の塗料の長期保存を可能とする缶装着用具を提供すること。【解決手段】管状であって、一方の開口部近傍に、周方向に形成された凹部を有するプラスチックからなる缶装着用具とする。なお、凹部の深さは１ｍｍ以上３ｍｍ以下の範囲にあることが好ましい。また、凹部は、一方の開口部から５ｍｍ以上２０ｍｍ以下の範囲にあることが好ましい。【選択図】図７
0003150277.tif 000002
【実用新案登録請求の範囲】
【請求項１】
管状であって、一方の開口部近傍に、周方向に形成された凹部を有するプラスチックからなる缶装着用具。
【請求項２】
管状かつ円筒形状である請求項１記載の缶装着用具。
【請求項３】
前記凹部の深さは１ｍｍ以上３ｍｍ以下の範囲にある請求項１記載の缶装着用具。
【請求項４】
前記凹部は、前記一方の開口部から５ｍｍ以上２０ｍｍ以下の範囲にある請求項１記載の缶装着用具。
【請求項５】
前記凹部は、他方の開口部から５０ｍｍ以上１００ｍｍ以下の範囲にある請求項１記載の缶装着用具。
【請求項６】
厚さが０．３ｍｍ以上１ｍｍ以下である請求項１記載の缶装着用具。
【請求項７】
前記一方の開口部の周方向の一部において切抜部が形成されてなる請求項１記載の缶装着用具。
【請求項８】
前記開口部に、突起部が形成されてなる請求項１記載の缶装着用具。
【考案の詳細な説明】
【技術分野】
【０００１】
本考案は、缶装着用具に関する。
【背景技術】
【０００２】
自作の椅子等の家具や壁等に対しペンキ等の塗料を塗布することは美的観点及び耐用性の向上を目的として日常生活において頻繁に行われている。
【０００３】
ところで塗料は、金属製の缶に保存され販売されているのが一般的である。この金属製の缶としては様々あるが、例えば図１及び図２で示すように、塗料を収納するための缶本体部９１と、蓋部９２と、を有し、缶本体部９１の開口部に溝９１１１のある縁部９１１が形成され、蓋部９２の周辺に突起部９２１が形成され、缶本体部９１側の溝９１１１と蓋部９２の突起部９２１とを嵌め合わせて塗料を密封保存するものが一般的である。
【０００４】
ところで、一般のユーザーは、缶に保存された塗料を一度に使い切らず、一度使用した後、蓋部９２と本体部９１を嵌め合わせて次回使用するまで保管することが多いが、使用の際、缶本体部９１の溝９１１１に塗料がついてしまうとユーザーにとって不都合が多い。具体的に説明すると、缶本体部９１と蓋部９２を嵌め合わせようとする際、溝９１１１に塗料が付着していると、嵌め合わせた後、時間の経過とともに塗料が乾燥し、缶本体部９１と蓋部９２とを接着させてしまい、次の使用時に開封するのが困難となってしまう。また、塗料が溝９１１１に存在し、そのまま時間が経過して塗料が乾燥してしまうと、固まった塗料が存在するため本体部９１と蓋部９２とをうまく嵌め合わせられず、密封状態が悪くなり、中の塗料が早く乾燥してしまうといった課題がある。
【０００５】
これに対し、例えば下記特許文献１には、耐薬品性の塗料缶の開口部にこれを密閉する蓋体を設け、この蓋体の蓋面周囲に塗料流出防止用の突起縁を形成した塗料缶装置が開示されている。
【０００６】
【特許文献１】特開２００４−７５１４５号公報
【考案の開示】
【考案が解決しようとする課題】
【０００７】
確かに上記特許文献１に記載の技術は、刷毛を直接缶内に挿入して壁面等に塗布する場合には有用である。
【０００８】
しかしながら、ユーザーは、刷毛を缶内に直接入れて塗料を塗らずに、一度他の容器に移した後、シンナー等の溶剤を加えて適宜濃度や粘度を調整等して使用する場合も多い。このような場合において、たとえ上記特許文献１に記載の技術を用いたとしても、塗料を他の容器に移そうとしても塗料缶の縁部周辺に塗料が付着してしまうことは避けられず、上記と同様、次の使用の際の開封が困難となり、また密封状態が悪くなり、中の塗料が早く乾燥してしまうといった課題が生じる。
【０００９】
そこで本考案は、上記課題を鑑み、塗料を一度他の容器に移して使用する場合においても缶上面部の溝を汚さず、塗料缶中における塗料の長期使用及び保存を可能とする缶装着用具を提供することを目的とする。
【課題を解決するための手段】
【００１０】
本考案の一手段に係る缶装着用具は、管状であって、一方の開口部近傍に、周方向に形成された凹部を有するプラスチックからなる。
【考案の効果】
【００１１】
以上、本考案によると、塗料を一度他の容器に移して使用する場合においても缶上面部の溝を汚さず、缶の長期使用及び中の塗料の長期保存を可能とする缶装着用具を提供することができる。
【考案を実施するための最良の形態】
【００１２】
以下、本考案の実施の形態について、図面を用いて説明するが、本考案は多くの異なる形態による実施が可能であり、以下に示す実施形態に狭く限定されるものでないことはいうまでもない。
【００１３】
（実施形態１）
図３は、本実施形態に係る缶装着用具（以下「本缶装着用具」という。）の斜視概略図である。本図で示すように、本缶装着用具１は、管状かつ略円筒形状であって、一方の開口部１１の端部近傍に、周方向に形成された凹部１２を有する。なおここで「略円筒形状」とは、理想的な円筒形状を含むことはもちろんであるが、製造上の誤差や一方の開口部から他方の開口部にかけて直径が少しずつ減少又は増加等の変化（数ｍｍ以下）の変更の加わった形状も許容し含ませたものである。
【００１４】
本缶装着用具１の素材はプラスチックからなる。プラスチックとすることで、適度な強度と柔軟性のバランスが良くなる。ここでプラスチックとしては、上記の性能を備える限りにおいて限定されるわけではないが、例えばポリプロピレン、ポリエチレン、ポリエチレンテレフタレート又はこれらが複合されたものを挙げることができ、特にポリプロピレンとすると強度と柔軟性のバランスがよい。なお、本缶装着用具１の厚さとしては、塗料を他の容器に移す際に塗料の重みで折れ曲がってしまわない程度の適度な強度を有しつつ、撓ませて缶内に挿入できる程度の柔軟性を有していることが好ましく、０．３ｍｍ以上１ｍｍ以下であることが好ましい。
【００１５】
また本缶装着用具１は、管状かつ略円筒形状であり開口部側から見た場合において略円形であることが好ましく、この外径（本缶装着用具１の厚みを含めた直径をいう。）は、装着対象となる塗料缶の開口径に合わせることが必要であり、市販されている塗料缶の直径の範囲として３ｃｍ以上３０ｃｍ以下の範囲内にあることが好ましい。
【００１６】
また、本缶装着用具１は、二つの開口部を有し、一方の開口部１１の近傍には周方向に沿って凹部１２が形成されている。これは、装着対象となる缶本体部９１の縁部９１１の返し部９１１２にこの凹部１２を当てることで、塗料缶９に対し本缶装着用具１を固定することができるようにするためのものである。図４に、塗料缶９の縁部９１１の返し部９１１２と本缶装着用具１の凹部１２とを嵌め合わせた場合における部分拡大図を示しておく。なお凹部１２の断面形状としては、円弧状、矩形状、三角形状であってもよいが、形成容易の観点や返し部９１１２の形状との組あわせの観点から、円弧状となっていることがより好ましい。また凹部１２の深さとしては、１ｍｍ以上５ｍｍ以下の範囲にあることが好ましく、より好ましくは２ｍｍ以上５ｍｍ以下である。なおここで凹部１２の「深さ」は、本缶装着用具１における表面と凹部１３の最深部との距離をいう（図５参照）。なお、ここにおいて、凹部の幅は、装着対象となる缶本体部９１の縁部９１１の返し部９１１２にあった適度な幅であることが好ましく、限定されるわけではないが３ｍｍ以上１０ｍｍ以下であることが好ましく、より好ましくは５ｍｍ以上８ｍｍ以下である。
【００１７】
また、凹部１２の位置としては、一方の開口部近傍であることが好ましく、具体的には、例えば開口部１１の端から凹部１２の端までの距離が５ｍｍ以上２０ｍｍ以下の範囲にあることが好ましく、より好ましくは５ｍｍ以上１０ｍｍ以下である。距離を５ｍｍ以上とることで本缶装着用具１が外れにくくなるとともに、２０ｍｍ以下とすることで塗料缶中に残る塗料の量及び本缶装着用具１に付着する塗料の量を少なくすることができる。
【００１８】
なお、缶装着用具の一方の開口部１１の端部には、切抜部１３が形成されていてもよい（図６参照）。このようにすることで、例えば塗料の残り量が少なくなった場合であっても、缶本体部９１の縁部９１１と側面部９１２の間に溜まった塗料をこの切抜部１４から取り出すことができるようになる。この切抜部１３の形状は、上記機能を有する限りにおいて限定されるわけではないが、例えば円弧状、三角形状や矩形状といった多角形状であってもよい。
【００１９】
なお、缶装着用具１において凹部１２と他方の開口部との距離は、限定されるわけではないが５０ｍｍ以上１００ｍｍ以下の範囲にあることが好ましい。他の開口部の端から凹部１２の端までの距離を５０ｍｍ以下とすることで塗料が他方の開口部周辺に付着したとしても、移し替え操作中に塗料缶９の縁部９１１にまで到達することを実効的に防ぐことが可能となるとともに、１００ｍｍ以下とすることで、塗料の重さにより缶装着用具１が変形してしまうことを防ぐことができるという利点がある。なお、これらに限定されるわけではないが、上記各好ましい値を踏まえ、直径を１とした場合の缶装着用具の開口部両端の長さの比は、０．４以上４．３以下であることが好ましく、より好ましくは１以上４以下であり、さらに好ましくは１以上２以下である。
【００２０】
次に、本缶装着用具の使用方法（以下「本使用方法」という。）について、以下説明する。図７は、本装着用具を缶９に装着した場合の概念図である。
【００２１】
まず、ユーザーは、本缶装着用具を缶本体部９１に挿入し、塗料缶９に対し缶装着用具１を固定する。そしてユーザーは、塗料缶９を持ち上げ、徐々に傾けることで缶装着用具１の開口部１４から塗料を他の容器に移し替えることができる。なお、移し替えた後の塗料は、適宜シンナー等の溶媒を加えることで粘度や色合いを調整することができる。
【００２２】
そしてユーザーは、塗料を他の容器に移し替えた後、本缶装着用具１を塗料缶から外し、蓋部９２と缶本体部９１とを嵌め合わせ、塗料を保存する。なお、本缶装着用具１の開口部近傍の外周には少量の塗料が付着する場合もあるが、ユーザーは塗料が缶本体部９１の縁部９１１にまで到達するまでの時間を十分確保することができ、その間に本缶装着具１を外すこと又は塗料をふき取ることが容易であり、縁部９１１に殆ど塗料を付着させず、蓋部９２と缶本体部９１とを嵌め合わせをきれいに行うことができる。なお、使用後の本缶装着用具１は、取り外し後溶剤等によって洗浄が容易であり、再使用することができる。
【００２３】
以上、本缶装着用具により、塗料を一度他の容器に移して使用する場合においても缶縁部の溝を汚さず、缶の長期使用及び保存を可能とする缶装着用具を提供することができる。
【００２４】
（実施形態２）
図８は、本実施形態に係る缶装着用具の斜視概略図を示す。本実施形態に係る缶装着用具は、実施形態１と、凹部が形成された開口部の端部に突状部が形成されていること以外は実施形態１と同様である。以下、具体的に説明するが、既に説明している構成については省略することとする。
【００２５】
本図で示すように、本実施形態に係る缶装着用具１は、管状であって、一方の開口部１１の端部近傍に、周方向に形成された凹部１２を有し、凹部１２が形成された開口部１１の端部に、突状部１３が形成されていることを特徴とする。突状部１３は、本缶装着用具１における表面から少し突出していることが好ましい。このようにすることで缶に装着した際、実質的な溝の深さを確保することができ、缶装着用具１の缶への装着力を強化することができるといった効果がある。なお、突状部１３の突出している高さとしては、缶装着用具１の表面から１ｍｍ以上５ｍｍ以下の範囲であることが好ましく、より好ましくは２ｍｍ以上４ｍｍ以下である（図９参照）。また、突状部１３の位置は、凹部の直ぐ下に形成されていることが好ましい。突状部１３の長さ（缶装着用具表面に沿った突状部の幅をいう。図９参照）としては、１ｍｍ以上５ｍｍ以下であることが好ましく、より好ましくは２ｍｍ以上４ｍｍ以下である。このようにすることで缶装着用具１の缶への装着力を強化することをより顕著にできる。なお、図１０に、図９における突状部１３を缶に装着した場合における部分断面図を、図１１に、突状部１３の他の形態の例を示しておく。
【００２６】
なお、本実施形態に係る缶装着用具１は、上記実施形態同様、凹部１２は、開口部の端部近傍から２０ｍｍの範囲にあることが好ましいが、本実施形態では突状部１３が形成されていれば、突状部１３のみを存在させ、突状部１３の下端が開口部となっている構成としても良い。このようにすることで、上記効果を維持しつつより塗料の切れを良くできるといった効果がある。
【００２７】
以上、本実施形態に係る缶装着用具によっても、塗料を一度他の容器に移して使用する場合においても缶縁部の溝を汚さず、缶の長期使用及び保存を可能とする缶装着用具を提供することができる。
【産業上の利用可能性】
【００２８】
本考案は、塗料缶等の缶に装着するための用具として産業上の利用可能性がある。
【図面の簡単な説明】
【００２９】
【図１】一般的な塗料缶の斜視概略図である。
【図２】図１における塗料缶をＡ−Ａ’線を含む断面で切った場合における塗料缶の開口部近傍の断面概略図である。
【図３】実施形態１に係る缶装着用具の斜視概略図である。
【図４】図３における缶装着用具を缶に装着した場合における線を含む缶の返し部及び缶装着用具の凹部近傍の断面概略図である。
【図５】実施形態１に係る缶装着用具の凹部における部分拡大図である。
【図６】缶装着用具に切抜部が形成された場合の例を示す図である。
【図７】実施形態１で塗料缶に缶装着用具を装着した場合における概略斜視図である。
【図８】実施形態２に係る缶装着用具の斜視外略図である。
【図９】実施形態２に係る缶装着用具の凹部における部分拡大図である。
【図１０】図９における缶装着用具を缶に装着した場合における凹部近傍の断面概略図である。
【図１１】実施形態２に係る缶装着用具の他の形態を示す図である。
【図１】
0003150277.tif 000003
【図２】
0003150277.tif 000004
【図３】
0003150277.tif 000005
【図４】
0003150277.tif 000006
【図５】
0003150277.tif 000007
【図６】
0003150277.tif 000008
【図７】
0003150277.tif 000009
【図８】
0003150277.tif 000010
【図９】
0003150277.tif 000011
【図１０】
0003150277.tif 000012
【図１１】
0003150277.tif 000013